(57)【要約】【課題】貯蔵室が大型であっても調湿および脱臭を効率よく行うことができる冷蔵庫用脱臭パネルおよび冷蔵庫を提供する。【解決手段】表裏面に複数の通気孔２ａを有する板状の収容体２に、天然ゼオライトからなる調湿剤４、及び、磁気切符を炭化させてなる脱臭剤６を収容した冷蔵庫用脱臭パネル。この脱臭パネルは、貯蔵室における開閉扉と対向する面の中央近傍に冷却器が配置された冷蔵庫において、貯蔵室上面の少なくとも開閉扉近傍および冷却器の両側近傍に配置することが好ましい。【選択図】  図１
2004218991.tif 000002
【特許請求の範囲】
【請求項１】
表裏面に複数の通気孔を有する板状の収容体に、天然ゼオライトからなる調湿剤、及び、磁気切符を炭化させてなる脱臭剤を収容した冷蔵庫用脱臭パネル。
【請求項２】
貯蔵室における開閉扉と対向する面の中央近傍に冷却器が配置された冷蔵庫において、
前記貯蔵室上面の少なくとも前記開閉扉近傍および前記冷却器の両側近傍に脱臭パネルが配置され、
前記脱臭パネルは、表裏面に複数の通気孔を有する板状の収容体に、天然ゼオライトからなる調湿剤、及び、磁気切符を炭化させてなる脱臭剤を収容してなる冷蔵庫。
【発明の詳細な説明】
【０００１】
【発明の属する技術分野】
本発明は、冷蔵庫用脱臭パネルおよび冷蔵庫に関する。
【０００２】
【従来の技術】
従来の冷蔵庫用脱臭具として、例えば、特開平８−９６０号公報に開示された構成が知られている。この脱臭具は、箱体に収容されるエチレン除去脱臭シート剤を備えており、冷蔵庫における冷却ユニットの風下側に設けられる。エチレン除去脱臭シート剤の具体例として、活性炭にパラジウム等のエチレン分解触媒及びマンガン等の悪臭分解触媒を練り込んで混合し、樹脂を媒体として押し固めて板状に成形したものが示されている。
【０００３】
【発明が解決しようとする課題】
ところが、上述した脱臭具を配置した従来の冷蔵庫は、扉の開閉が頻繁になると貯蔵室の調湿が良好に行われないため、外部から暖かい空気が流れ込むことによって食品の表面や内壁面などに結露が発生し、雑菌やカビが繁殖するおそれがあった。更に、冷却器や脱臭具にも霜や露が付着することにより、消費電力の増大や脱臭能力の低下を招くという問題もあった。このような問題は、特に業務用の大型冷蔵庫において顕著であり、冷却能力を重視する一方、調湿や脱臭についてはあまり考慮されていないのが実状であった。
【０００４】
本発明は、このような問題を解決すべくなされたものであって、貯蔵室が大型であっても調湿および脱臭を効率よく行うことができる冷蔵庫用脱臭パネルおよび冷蔵庫の提供を目的とする。
【０００５】
【課題を解決するための手段】
本発明の前記目的は、表裏面に複数の通気孔を有する板状の収容体に、天然ゼオライトからなる調湿剤、及び、磁気切符を炭化させてなる脱臭剤を収容した冷蔵庫用脱臭パネルにより達成される。
【０００６】
また、本発明の前記目的は、貯蔵室における開閉扉と対向する面の中央近傍に冷却器が配置された冷蔵庫において、前記貯蔵室上面の少なくとも前記開閉扉近傍および前記冷却器の両側近傍に脱臭パネルが配置され、前記脱臭パネルは、表裏面に複数の通気孔を有する板状の収容体に、天然ゼオライトからなる調湿剤、及び、磁気切符を炭化させてなる脱臭剤を収容してなる冷蔵庫により達成される。
【０００７】
【発明の実施の形態】
以下、本発明の実態形態について添付図面を参照して説明する。図１は、本発明の一実施形態に係る脱臭パネルの構成を示す平面図である。図１に示すように、この脱臭パネル１は、板状に形成された収容体２の内部に、調湿剤４及び脱臭剤６が収容されている。収容体２の表裏面には複数の通気孔２ａが形成されており、収容体２の一方面から流入した空気が他方面から流出するように構成されている。
【０００８】
調湿剤４は、粒状又は紛状の天然ゼオライトからなり、クリノプチロライト又はモルデナイトの２種類の天然ゼオライトを好ましく用いることができる。特に、島根県石見鉱山で採掘される天然ゼオライトは、合成ゼオライトと比較して水分吸収能力が非常に優れるため、良好な調湿効果を得ることができる。脱臭剤６は、使用済みの磁気切符を１１００℃以上の高温で焼くことにより炭化させた、いわゆる「切符炭」からなる。本実施形態においては、調湿剤４及び脱臭剤６を別々の通気性収納体に入れて分離しているが、調湿剤４及び脱臭剤６を混合した状態で収容体２に収容してもよい。
【０００９】
以上のように構成された脱臭パネル１を冷蔵庫の貯蔵室内に配置することにより、調湿剤４が高湿時には湿気を吸収する一方、乾燥時には湿気を放出するため、貯蔵室内の急激な湿度変化が防止されて湿度が一定に保たれる。この結果、貯蔵室の内壁面、食品、冷却器などへの霜や露の付着を防止することができ、雑菌・カビの繁殖や消費電力の増大を防止することができる。
【００１０】
更に、脱臭パネル１自体への霜や露の付着も防止できることから、脱臭剤６の機能を十分に発揮させることができ、青果などから発生するエチレンガス、酸化物、外部から浸入した空中浮遊菌などを効果的に吸収することができる。この結果、貯蔵室内の良好な調湿及び脱臭が可能になる。
【００１１】
冷蔵庫の貯蔵室に配置する脱臭パネル１の個数は、貯蔵室の内容積などに応じて適宜定めればよい。また、調湿剤４と脱臭剤６との重量比は、調湿剤：脱臭剤＝１〜１０：１であることが好ましく、調湿剤：脱臭剤＝６〜８：１であることがより好ましい。一例として、３７．２ｃｍ（横）×２６．７ｃｍ（縦）×２ｃｍ（厚み）の収容体２に、調湿剤４を７００ｇ、脱臭剤６を１００ｇ収容して脱臭パネル１を構成し、この脱臭パネル１を貯蔵室１０ｍ３あたり３個配置したところ、０〜８℃の温度範囲において、良好な調湿効果及び脱臭効果を得ることができた。
【００１２】
図２は、図１に示す脱臭パネル１が配置された冷蔵庫の概略構成を示す（ａ）縦断面図、及び（ｂ）横断面図である。図２に示すように、この冷蔵庫１０は、扉１２により開閉可能な貯蔵室１４を有しており、貯蔵室１４における扉１２と対向する面１４ａの中央近傍に冷却器１６が配置されている。冷却器１６は、貯蔵室の上面１４ｂに取り付けられており、斜め下方に向けて冷気を放出する。
【００１３】
脱臭パネル１は、複数配置されており、いずれも貯蔵室１４の上面１４ｂとの間に僅かな隙間を形成した状態で取り付けられている。より詳細には、脱臭パネル１は、貯蔵室上面１４ｂの扉１２近傍において扉１２に沿って複数配置され、更に、冷却器１６の両側近傍にもそれぞれ配置されている。
【００１４】
この冷蔵庫によれば、扉１２を開けた際に外部から流入した暖気が入口付近において上昇し、扉１２の近傍に配置された脱臭パネル１を通過する。この結果、外部からの流入空気に含まれる湿気を効果的に除去することができ、扉１２の開閉を繰り返しても、扉１２の近傍における結露の発生を確実に防止することができる。また、貯蔵室１４における空気の循環は冷却器１６からの吹き出しによって行われるので冷却器１６の両側において空気が滞留するが、このような箇所にも脱臭パネル１が設けられているため、滞留する空気の臭気が除去されると共に調湿が行われる。こうして、貯蔵室１４の内部全体における調湿及び脱臭を効率よく行うことができる。
【００１５】
【実施例】
以下に実施例を挙げて、本発明を更に詳細に説明する。
【００１６】
（実施例１）
３５℃、１００％ＲＨに保持した恒温恒湿器（ＴＡＢＡＩ製Ｌａｂｏ−ｓｔａｒ  ＬＨＵ−１１２）に、アクリル製のデシケーター（４６ｃｍ×２９ｃｍ×２６ｃｍ、容量３６Ｌ、湿度計付き）を収容し、蓋を外した状態で１時間放置した。ついで、このデシケーターを取り出して、天然ゼオライトからなる調湿剤及び切符炭からなる脱臭剤を各１０ｇ入れてすぐに蓋をした後、室内に２０分間静置した。そして、このデシケーターを５℃の冷蔵庫内に入れて３時間放置した後、デシケーター内部の湿度及び曇り具合を測定した。同じ調湿剤及び脱臭剤について、この測定を３回繰り返した結果を表１に示す。
【００１７】
【表１】
2004218991.tif 000003
【００１８】
表１から明らかなように、３回の測定のいずれにおいても曇りは発生しておらず、良好な調湿効果を得ている。
【００１９】
（実施例２）
天然ゼオライトからなる調湿剤及び切符炭からなる脱臭剤が各１０ｇ収容されたテトラーバックに、濃度１５０ｐｐｍのアンモニアガスを５Ｌ入れて、時間の経過に伴うテトラーバック内のガス濃度変化を検知管法により測定した。また、硫化水素ガス（濃度１５０ｐｐｍ）及びエチレンガス（濃度１５ｐｐｍ）についても、同様の条件で測定を行った。この結果を表２に示す。
【００２０】
【表２】
2004218991.tif 000004
【００２１】
表２から明らかなように、３時間経過後には、アンモニアガス及び硫化水素ガスについてはほとんど検出されず、エチレンガスも半分以下の濃度になっており、良好な脱臭効果を得ている。
【００２２】
【発明の効果】
以上の説明から明らかなように、本発明によれば、貯蔵室が大型であっても調湿および脱臭を効率よく行うことができる冷蔵庫用脱臭パネルおよび冷蔵庫を提供することができる。
【図面の簡単な説明】
【図１】本発明の一実施形態に係る脱臭パネルの構成を示す平面図である。
【図２】図１に示す脱臭パネル１が配置された冷蔵庫の概略構成を示す（ａ）縦断面図、及び（ｂ）横断面図である。
【符号の説明】
１  脱臭パネル
２  収容体
２ａ  通気孔
４  調湿剤
６  脱臭剤
１０  冷蔵庫
１２  扉
１４  貯蔵室
１６  冷却器
【図１】
2004218991.tif 000005
【図２】
2004218991.tif 000006